【手続補正書】
【提出日】平成20年3月7日(2008.3.7)
【手続補正１】
【補正対象書類名】特許請求の範囲
【補正対象項目名】全文
【補正方法】変更
【補正の内容】
【特許請求の範囲】
【請求項１】
前方左側に配置する前方左側スピーカをドライブする第１のアンプと、
前方右側に配置する前方右側スピーカをドライブする第２のアンプと、
後方左側に配置する後方左側スピーカをドライブする第３のアンプと、
後方右側に配置する後方右側スピーカをドライブする第４のアンプとを有する音声出力装置において、
前記第３のアンプの入力側に後方左側音声信号を供給するのか前方左側音声信号の反転信号供給するのかを切換える第１の切換スイッチと、
前記第４のアンプの入力側に後方右側音声信号を供給するのか前方右側音声信号の反転信号供給するのかを切換える第２の切換スイッチと、
前記第３のアンプの出力信号を前記後方左側スピーカに供給するのか前記前方左側スピーカに供給するのかを切換える第３の切換スイッチと、
前記第４のアンプの出力信号を前記後方右側スピーカに供給するのか前記前方右側スピーカに供給するのかを切換える第４の切換スイッチとをもうけ、
２チャンネル音声信号が入力された時に、前記第１及び第２の切換スイッチを、前方左側音声信号及び前方右側音声信号の反転信号が供給される側に切換え、第３及び第４の切換スイッチを、前記前方左側スピーカ及び前記前方右側スピーカに供給する側に切換えて、前記前方左側スピーカ及び前記前方右側スピーカをＢＴＬ駆動するようにしたことを特徴とする音声出力装置。
【請求項２】
請求項１記載の音声出力装置において、
前記２チャンネル音声信号はアナログ信号又はデジタル信号であることを特徴とする音声出力装置。
【請求項３】
前方左側に配置するツイーター及びウーファーより成る前方左側スピーカをドライブする第１のアンプと、
前方右側に配置するツイーター及びウーファーより成る前方右側スピーカをドライブする第２のアンプと、
後方左側に配置する後方左側スピーカをドライブする第３のアンプと、
後方右側に配置する後方右側スピーカをドライブする第４のアンプとを有する音声出力装置において、
前記第３のアンプの入力側に後方左側音声信号を供給するのか前方左側音声信号を供給するのかを切換える第１の切換スイッチと、
前記第４のアンプの入力側に後方右側音声信号を供給するのか前方右側音声信号を供給するのかを切換える第２の切換スイッチと、
前記第３のアンプの出力信号を前記後方左側スピーカに供給するのか前記前方左側スピーカに供給するのかを切換える第３の切換スイッチと、
前記第４のアンプの出力信号を前記後方右側スピーカに供給するのか前記前方右側スピーカに供給するのかを切換える第４の切換スイッチとをもうけ、
２チャンネル音声信号が入力された時に、前記第１及び第２の切換スイッチを、前方左側音声信号及び前方右側音声信号が供給される側に切換え、第３及び第４の切換スイッチを、前記前方左側スピーカ及び前記前方右側スピーカに供給する側に切換えて、前記前方左側スピーカ及び前記前方右側スピーカをバイアンプ駆動するようにしたことを特徴とする音声出力装置。
【請求項４】
請求項３記載の音声出力装置において、
前記２チャンネル音声信号はアナログ信号又はデジタル信号であることを特徴とする音声出力装置。
【請求項５】
前方左側に配置するツイーター及びウーファーより成る前方左側スピーカをドライブする第１のアンプと、
前方右側に配置するツイーター及びウーファーより成る前方右側スピーカをドライブする第２のアンプと、
後方左側に配置する後方左側スピーカをドライブする第３のアンプと、
後方右側に配置する後方右側スピーカをドライブする第４のアンプとを有する音声出力装置において、
前記第３のアンプの入力側に後方左側音声信号を供給するのか第１の位相反転回路を介して得た前方左側音声信号の反転信号供給するのかを切換える第１の切換スイッチと、
前記第４のアンプの入力側に後方右側音声信号を供給するのか第２の位相反転回路を介して得た前方右側音声信号の反転信号供給するのかを切換える第２の切換スイッチと、
前記第３のアンプの出力信号を前記後方左側スピーカに供給するのか前記前方左側スピーカに供給するのかを切換える第３の切換スイッチと、
前記第４のアンプの出力信号を前記後方右側スピーカに供給するのか前記前方右側スピーカに供給するのかを切換える第４の切換スイッチとを設けると共に前記第１及び第２の位相反転回路に夫々並列に第１及び第２の接続スイッチを設け、
２チャンネル音声信号が入力された時に、前記第１及び第２の切換スイッチを、前方左側音声信号及び前方右側音声信号が供給される側に切換え、第３及び第４の切換スイッチを、前記前方左側スピーカ及び前記前方右側スピーカに供給する側に切換えると共に、前記前方左側スピーカ及び前記前方右側スピーカを前記第１及び第２の接続スイッチをオン又はオフすることによりバイアンプ駆動又はＢＴＬ駆動に切換え駆動できるようにしたことを特徴とする音声出力装置。
【手続補正２】
【補正対象書類名】明細書
【補正対象項目名】００１８
【補正方法】変更
【補正の内容】
【００１８】
本発明音声出力装置は前方左側に配置する前方左側スピーカをドライブする第１のアンプと、前方右側に配置する前方右側スピーカをドライブする第２のアンプと、後方左側に配置する後方左側スピーカをドライブする第３のアンプと、後方右側に配置する後方右側スピーカをドライブする第４のアンプとを有する音声出力装置において、この第３のアンプの入力側に後方左側音声信号を供給するのか前方左側音声信号の反転信号供給するのかを切換える第１の切換スイッチと、この第４のアンプの入力側に後方右側音声信号を供給するのか前方右側音声信号の反転信号供給するのかを切換える第２の切換スイッチと、この第３のアンプの出力信号をこの後方左側スピーカに供給するのかこの前方左側スピーカに供給するのかを切換える第３の切換スイッチと、この第４のアンプの出力信号をこの後方右側スピーカに供給するのかこの前方右側スピーカに供給するのかを切換える第４の切換スイッチとをもうけ、２チャンネル音声信号が入力された時に、前記第１及び第２の切換スイッチを、前方左側音声信号及び前方右側音声信号の反転信号が供給される側に切換え、第３及び第４の切換スイッチを、前記前方左側スピーカ及び前記前方右側スピーカに供給する側に切換えて、前方左側スピーカ及びこの前方右側スピーカをＢＴＬ駆動するようにしたものである。
【手続補正３】
【補正対象書類名】明細書
【補正対象項目名】００１９
【補正方法】変更
【補正の内容】
【００１９】
本発明によれば、２チャンネル音声信号が入力された時に、第３及び第４のアンプを使用して前方左側スピーカ及び前方右側スピーカをＢＴＬ駆動するようにしたので、この前方左側スピーカ及び前方右側スピーカに対する駆動能力が理論上で４倍になりＳ／Ｎ感が良くなって音のダイナミズムが高まる。例えば１００ＷのパワーアンプをＢＴＬ駆動すると得られるパワーアンプの出力は４００Ｗとなる。
【手続補正４】
【補正対象書類名】明細書
【補正対象項目名】００２０
【補正方法】変更
【補正の内容】
【００２０】
また、本発明音声出力装置は、前方左側に配置するツイーター及びウーファーより成る前方左側スピーカをドライブする第１のアンプと、前方右側に配置するツイーター及びウーファーより成る前方右側スピーカをドライブする第２のアンプと、後方左側に配置する後方左側スピーカをドライブする第３のアンプと、後方右側に配置する後方右側スピーカをドライブする第４のアンプとを有する音声出力装置において、この第３のアンプの入力側に後方左側音声信号を供給するのか前方左側音声信号を供給するのかを切換える第１の切換スイッチと、この第４のアンプの入力側に後方右側音声信号を供給するのか前方右側音声信号を供給するのかを切換える第２の切換スイッチと、この第３のアンプの出力信号をこの後方左側スピーカに供給するのかこの前方左側スピーカに供給するのかを切換える第３の切換スイッチと、この第４のアンプの出力信号をこの後方右側スピーカに供給するのかこの前方右側スピーカに供給するのかを切換える第４の切換スイッチとをもうけ、２チャンネル音声信号が入力された時に、前記第１及び第２の切換スイッチを、前方左側音声信号及び前方右側音声信号が供給される側に切換え、第３及び第４の切換スイッチを、前記前方左側スピーカ及び前記前方右側スピーカに供給する側に切換えて、前方左側スピーカ及びこの前方右側スピーカをバイアンプ駆動するようにしたものである。
【手続補正５】
【補正対象書類名】明細書
【補正対象項目名】００２１
【補正方法】変更
【補正の内容】
【００２１】
本発明によれば、２チャンネル音声信号が入力された時に、第３及び第４のアンプを使用して前方左側スピーカ及び前方右側スピーカをバイアンプ駆動（パラレル駆動）するようにしたので、この前方左側スピーカ及び前方右側スピーカに入力されるパワーは総合で２倍となると共にウーファーとツイーターとを全く独立した別々のパワーアンプで駆動するので、混変調歪みの低減が図れる。
【手続補正６】
【補正対象書類名】明細書
【補正対象項目名】００２２
【補正方法】変更
【補正の内容】
【００２２】
本発明によれば、２チャンネル音声信号が入力された時に、第３及び第４のアンプを有効に利用することができる。
【手続補正７】
【補正対象書類名】明細書
【補正対象項目名】００２９
【補正方法】変更
【補正の内容】
【００２９】
この復調回路２の出力側に得られる後方右側音声信号ＲＲをデジタル信号をアナログ信号に変換するＤ−Ａ変換回路３ＲＲを介して、切換スイッチ１４の他方の固定接点１４ｂに供給する。この切換スイッチ１４の可動接点１４ｃに得られる信号を後方右側用のパワーアンプ４ＲＲに供給し、このパワーアンプ４ＲＲの出力信号を切換スイッチ１６の可動接点１６ｃに供給し、の切換スイッチ１６の他方の固定接点１６ｂに得られる信号をスピーカ端子５ＲＲを介して後方右側スピーカ７ＲＲに供給する。また、この切換スイッチ１６の一方の固定接点１６ａに得られる信号をスピーカ端子９ＦＲ及び短絡板６Ｒの端子を介して前方右側スピーカ７ＦＲに供給する。
【手続補正８】
【補正対象書類名】明細書
【補正対象項目名】００６３
【補正方法】変更
【補正の内容】
【００６３】
また、デジタル音声信号入力端子１Ｄに例えばＣＤ等のデジタルの２チャンネルの再生信号が供給されたときは、図９に示す如く、接続スイッチ１０Ｌ及び１０Ｒをオンとし、接続スイッチ１１Ｌ及び１１Ｒをオフとし、切換スイッチ１３，１４，１５及び１６の夫々の可動接点１３ｃ，１４ｃ，１５ｃ及び１６ｃを夫々一方の固定接点１３ａ，１４ａ，１５ａ及び１６ａに接続し、３点切換スイッチ１７及び１８の可動接点１７ｃ及び１８ｃを浮いた状態にある第３の固定接点１７ｄ及び１８ｄに接続する。